Podtech/llm-jp-corpus-v4-ja_patent huggingface dataset:
(57)【要約】【課題】消費者の興味を引きやすく、かつ消費者の満足感を得やすい、蒲鉾の上に具材を載せた新規な具載せ蒲鉾を提供する。【解決手段】笹蒲鉾から成る蒲鉾本体２の表面に、結着剤３で具材４を固定して成っている。結着剤３は、粘りを有するタラのすり身から成っている。具材４の例としては、牛たん・鶏そぼろ・サラミ・だだちゃ豆・梅・大葉・百合根・慈姑（くわい）・にんにく・生姜・紅ずわいがに・えび・ホタテ貝・赤貝・貝ひも・サーモン・紅鮭・いか・パプリカ・牡蠣・ホヤ・蝦蛄えび・チーズ・スモークチーズなどをスライスしたものが挙げられる。【選択図】図１
0003187191.tif 000002
【実用新案登録請求の範囲】
【請求項１】
蒲鉾本体の表面に結着剤で具材を固定して成ることを特徴とする具載せ蒲鉾。
【請求項２】
前記蒲鉾本体は笹蒲鉾から成ることを特徴とする請求項１記載の具載せ蒲鉾。
【請求項３】
前記結着剤は魚肉すり身を含むことを特徴とする請求項１または２記載の具載せ蒲鉾。
【考案の詳細な説明】
【技術分野】
【０００１】
本考案は、具載せ蒲鉾に関する。
【背景技術】
【０００２】
従来、蒲鉾と固形の具材とを組み合わせたものとして、蒲鉾の内部にチーズを入れたチーズ入り蒲鉾が知られている（例えば、特許文献１参照）。
【先行技術文献】
【特許文献】
【０００３】
【特許文献１】特許第３５９３２１０号公報
【考案の概要】
【考案が解決しようとする課題】
【０００４】
しかしながら、特許文献１に記載の食品は、蒲鉾の生地の内部に具材が埋まってしまうため、通常の蒲鉾と見た目が変わらないことから、店頭などで消費者の興味を引きにくいという課題があった。また、内部に具材が埋まった蒲鉾では、噛んだ断面でしか具材が見えず、具材の全体を見ながら食べられないので、消費者の満足感を得にくいという課題があった。また、鮨のように蒲鉾の上に具材を載せたものはこれまでに存在していなかった。
【０００５】
本考案は、このような課題に着目してなされたもので、消費者の興味を引きやすく、かつ消費者の満足感を得やすい、蒲鉾の上に具材を載せた新規な具載せ蒲鉾を提供することを目的とする。
【課題を解決するための手段】
【０００６】
上記目的を達成するために、本考案に係る具載せ蒲鉾は、蒲鉾本体の表面に結着剤で具材を固定して成ることを特徴とする。特に、本考案に係る具載せ蒲鉾で、前記蒲鉾本体は笹蒲鉾から成ることが好ましい。
【０００７】
本考案に係る具載せ蒲鉾は、蒲鉾本体の表面に結着剤で具材が固定されており、蒲鉾の上に具材を載せた新規なものである。消費者が購入する際、蒲鉾本体の表面に載った具材が見えるため、消費者の興味を引きやすい。また、具材の全体を見ながら食べることができるので、消費者の満足感を得やすい。特に、笹蒲鉾は表面が平坦であるため、具材を載せやすく、鮨に似た形態にすることができ、面白みがある。
【０００８】
具材は、蒲鉾本体の表面に載せることができる食品であれば、いかなるものであってもよく、例えば、牛たん・鶏そぼろ・サラミなどの食肉類、だだちゃ豆・梅・大葉・百合根・慈姑（くわい）・にんにく・生姜などの野菜類、紅ずわいがに・えび・ホタテ貝・赤貝・貝ひも・サーモン・紅鮭・いか・パプリカ・牡蠣・ホヤ・蝦蛄えびなどの魚介類、チーズ・スモークチーズなどの乳製品類が挙げられる。具材は、厚みのあるものの場合、蒲鉾本体に載せるため、スライスしたものから成ることが好ましい。蒲鉾は、笹蒲鉾のほか、細工蒲鉾、巻き蒲鉾など、いかなる蒲鉾であってもよい。
【０００９】
本考案に係る具載せ蒲鉾で、前記結着剤は魚肉すり身を含むことが好ましい。この場合、魚肉すり身には、粘りがあるため、蒲鉾本体の表面に具材をしっかりと固定することができる。特に、加熱することにより、粘りが増すため、より確実に固定することができる。魚肉すり身には、特にタラのすり身が好ましい。この場合、加熱することにより透明感が出るため、結着剤を目立たなくして、見栄えをよくすることができる。なお、結着剤は、魚肉すり身以外の食用添加物を含んでいてもよく、魚肉すり身以外の結着力のある食材から成っていてもよい。
【考案の効果】
【００１０】
本考案によれば、消費者の興味を引きやすく、かつ消費者の満足感を得やすい、蒲鉾の上に具材を載せた新規な具載せ蒲鉾を提供することができる。
【図面の簡単な説明】
【００１１】
【図１】本考案の実施の形態の具載せ蒲鉾を示す斜視図である。
【図２】本考案の実施の形態の具載せ蒲鉾の製造方法を示す斜視図である。
【考案を実施するための形態】
【００１２】
以下、図面に基づき本考案の実施の形態について説明する。
図１および図２は、本考案の実施の形態の具載せ蒲鉾を示している。
図１に示すように、具載せ蒲鉾１は、笹蒲鉾から成る蒲鉾本体２の表面に、結着剤３で具材４を固定して成っている。結着剤３は、粘りを有するタラのすり身から成っている。
【００１３】
具材４の例としては、牛たん・鶏そぼろ・サラミ・だだちゃ豆・梅・大葉・百合根・慈姑（くわい）・にんにく・生姜・紅ずわいがに・えび・ホタテ貝・赤貝・貝ひも・サーモン・紅鮭・いか・パプリカ・牡蠣・ホヤ・蝦蛄えび・チーズ・スモークチーズなどが挙げられる。また、厚みのある具材４の場合、スライスしたものを使用することが好ましい。だだちゃ豆は、サヤと薄皮を取ったものを使用する。甲殻類や貝類は、殻を取った身を使用する。
【００１４】
図２に示すように、具載せ蒲鉾１は、以下のようにして製造される。まず、製造する具載せ蒲鉾１の大きさの凹部１１ａを有する真空パックの型材１１を、凹部１１ａを上方に向けて配置する。その凹部１１ａに具材４を入れ、その具材４の上に結着剤３を載せ、さらにその上に蒲鉾本体２を載せる。凹部１１ａの内側が真空になるように、空気を抜きながら真空パックのラップ材で凹部１１ａの開口を塞ぎ、真空パックごとボイルする。これにより、結着剤３のタラのすり身が粘りを増すため、蒲鉾本体２の表面に具材４をしっかりと固定することができる。また、ボイルして加熱することで結着剤３のタラのすり身に透明感が出るため、結着剤３を目立たなくして、見栄えをよくすることができる。
【００１５】
図１に示すように、具載せ蒲鉾１は、蒲鉾本体２の表面に結着剤３で具材４が固定されており、蒲鉾の上に具材４を載せた新規なものである。消費者が購入する際、蒲鉾本体２の表面に載った具材４が見えるため、消費者の興味を引きやすい。また、具材４の全体を見ながら食べられるので、消費者の満足感を得やすい。蒲鉾本体２の笹蒲鉾は表面が平坦であるため、具材４を載せやすく、鮨に似た形態にすることができ、面白みがある。
【符号の説明】
【００１６】
１  具載せ蒲鉾
２  蒲鉾本体
３  結着剤
４  具材
１１  型材
１１ａ  凹部
【図１】
0003187191.tif 000003
【図２】
0003187191.tif 000004
(57)【要約】      （修正有）【課題】遊泳中に任意のタイミングで利用できる遊泳玩具を提供する。【解決手段】膨張していない状態の浮き輪（浮遊部）４と圧縮空気ボンベ１が空気噴出装置２を介して接続された状態で装着具５によって保持されたもので、空気噴出装置２のスイッチ操作により浮き輪（浮遊部）４が膨張し、水面上を浮遊する遊泳玩具。【選択図】図１
0003187157.tif 000002
【実用新案登録請求の範囲】
【請求項１】
携帯している状態では浮力は無く、使用者の操作により、その場で自ら膨張し、水面上での浮力を得る遊泳玩具（浮き輪）。「浮き輪」と称しているが形状は問わないものとする。
【考案の詳細な説明】
【技術分野】
【０００１】
本考案は、遊泳中に任意のタイミングで浮き輪（遊泳玩具）を利用できるようにするものである。
【背景技術】
【０００２】
海水浴などで安全に遊泳するために浮き輪などの遊泳玩具を利用する場合があるが、このような遊泳玩具は膨張させるのに手間がかかり、また膨張させた後の持ち運びには不便なものである。
【０００３】
もっとも安全性が高く、持ち運びも苦にならないものに救命胴衣があるが、一般的な遊泳者にとって救命胴衣は大げさであり、遊泳中は邪魔なものとなる。
【０００４】
手動膨張型救命胴衣に使用されている「圧縮空気ボンベとスイッチとなる紐を引くことによりボンベより圧縮空気を噴出する装置」を流用することにより、本考案を実現する。
【考案の概要】
【考案が解決しようとする課題】
【０００５】
浮き輪などの遊泳玩具を持たずに遊泳している時、疲労などにより浮き輪などの遊泳玩具を利用したくなる場合がある。膨張させていない浮き輪を持ち運び、任意のタイミングで膨張させることができれば良いが、現状では膨張させるためには人力が必要であり、手間と時間がかかるため、実用的ではない。
【課題を解決するための手段】
【０００６】
手動膨張型救命胴衣に使用されている「圧縮空気ボンベとスイッチとなる紐を引くことによりボンベより圧縮空気を噴出する装置」（以下「空気噴出装置」）を、小さく折り畳んだ浮き輪（遊泳玩具）に装着し、これをクリップやベルトにて使用者が携帯できるようにする。使用者がスイッチとなる紐を引くことにより、圧縮空気が折り畳まれた浮き輪に注入され、その圧縮空気の力で浮き輪が展開・膨張するようにする。
【考案の効果】
【０００７】
使用者は任意のタイミングですぐにその場で浮き輪（遊泳玩具）が利用できる。
【０００８】
緊急時は救命胴衣の代わりとなる。
【図面の簡単な説明】
【０００９】
【図１】図１は携帯型瞬間膨張浮き輪の実施例を示した説明図である。
【図２】図２は浮き輪（浮遊部）の折り畳み例を示した説明図である。
【図３】図３は携帯型瞬間膨張浮き輪の携帯例を示した説明図である。
【図４】図４は携帯型瞬間膨張浮き輪の展開・膨張時の動作順を示した説明図である。
【図５】図５は携帯型瞬間膨張浮き輪の展開・膨張後の状態を示した説明図である。
【考案を実施するための形態】
【００１０】
浮き輪（遊泳玩具）としては、おとな１人が掴まって浮いていられる程度の浮力を目安とし、圧縮空気ボンベ、浮き輪（浮遊部）などを最大限小型化し、携帯性を向上させるものとする。
【実施例１】
【００１１】
図１は、本考案装置の一実施例の構成図である。
【００１２】
圧縮空気ボンベ１は空気噴出装置２にねじ込み式で装着されるもので、空気噴出装置２は既存の手動膨張型救命胴衣に使用されているものなので説明は省略する。
【００１３】
この実施例での浮き輪（浮遊部）４の形状は枕型（長方形を膨らませたような形状）とし、膨張前の状態は長方形とする（図２参照）。
【００１４】
図２に示すように、浮き輪（浮遊部）４は携帯時は長方形のものを３つ折りし、さらに丸めることにより小さくしている。
【００１５】
空気噴出装置２の噴出口を浮き輪（浮遊部）４の空気注入口に繋げ、空気噴出装置２から噴出した空気が浮き輪（浮遊部）４に注入されるようにしている。
【００１６】
圧縮空気ボンベ１、空気噴出装置２、浮き輪（浮遊部）４をまとめて、装着具５に保持ベルト６によって保持し、展開防止ロック７にて固定している。
【００１７】
展開防止ロック７はスイッチとなる紐３と連動しており、スイッチとなる紐３が引かれることによりロックが外れるようにしている。
【００１８】
さらにスイッチとなる紐３が引かれることにより空気噴出装置２のスイッチが入り、浮き輪（浮遊部）４に空気が注入されるようにしている。
【００１９】
装着具５にはスイッチとなる紐３を通しておく穴があり、この穴にスイッチとなる紐３を通しておくことにより、使用者がスイッチとなる紐３を引いたとき、空気噴出装置２が装着具５から外れてしまわないようにし、空気噴出装置２のスイッチが入らなくなることを防いでいる。
【００２０】
図３は携帯例を示したものである。
【００２１】
例１は本体（展開前）８を腕にベルトで装着するものである。
【００２２】
例２は本体（展開前）８を水着にクリップで装着するものである。
【００２３】
例３は本体（展開前）８を紐で首にかけておくものである。
【００２４】
図４は実施例の展開・膨張時の動作順を示したものである。
【００２５】
スイッチとなる紐３を引くことにより展開防止ロック７が外れる。
【００２６】
さらにスイッチとなる紐３を引くことにより空気噴出装置２から浮き輪（浮遊部）４に空気が注入される。
【００２７】
浮き輪（浮遊部）４に空気が注入され膨張することにより、丸められた状態から引き伸ばされ、折り曲げた状態も展開される。
【００２８】
図５は実施例の展開・膨張後の状態を示したものである。
【００２９】
展開・膨張後、装着具５の穴からスイッチとなる紐３を引き抜くことにより、浮き輪（浮遊部）４が装着具５から外れ、浮き輪（遊泳玩具）として利用できるようになる（本実施例では圧縮空気ボンベ１、空気噴出装置２は浮き輪（浮遊部）４に繋がったままとなる）。
【符号の説明】
【００３０】
１    圧縮空気ボンベ
２    空気噴出装置
３    スイッチとなる紐
４    浮き輪（浮遊部）
５    装着具
６    保持ベルト
７    展開防止ロック
８    本体（展開前）
【図１】
0003187157.tif 000003
【図２】
0003187157.tif 000004
【図３】
0003187157.tif 000005
【図４】
0003187157.tif 000006
【図５】
0003187157.tif 000007
【手続補正書】
【提出日】平成25年9月9日(2013.9.9)
【手続補正１】
【補正対象書類名】実用新案登録請求の範囲
【補正対象項目名】全文
【補正方法】変更
【補正の内容】
【実用新案登録請求の範囲】
【請求項１】
膨張していない状態の浮き輪（浮遊部）と圧縮空気ボンベが空気噴出装置を介して接続された状態で装着具によって保持されたもので、空気噴出装置のスイッチ操作により浮き輪（浮遊部）が膨張し、水面上を浮遊する遊泳玩具。
(57)【要約】      （修正有）【課題】シンプルな構造、美しい外観、良い乾燥効果などの利点を持つ縦靴スタンドを提供する。【解決手段】支持板１、支持板の左側と垂直するたてかけ板２、支持板の右側と垂直するストッパー３、たてかけ板の中部に水平で取り付けられたガードレール４、たてかけ板の左側に設置された吸盤６を含む。たてかけ板とストッパーを介して、靴を傾いて、支持板に置くことができ、支持板にある排水穴を通して、水を流せ、靴の乾燥スピードを加速させることができる。また、吸盤を介して、縦靴スタンドを窓や壁に固定できる。これにより、シンプルな構造、美しい外観、良い乾燥効果などの利点を持つ。【選択図】図１
0003187160.tif 000002
【実用新案登録請求の範囲】
【請求項１】
縦靴スタンドであり、その特徴とは：支持板、支持板の左側と垂直するたてかけ板、支持板の右側と垂直するストッパー、たてかけ板の中部に水平で取り付けられたガードレール、たてかけ板の左側に設置された吸盤を含む。
【請求項２】
請求項1に述べた縦靴スタンドに従って、その特徴は：上述した支持板に一つ以上の排水穴を設置されている。
【考案の詳細な説明】
【技術分野】
【０００１】
本実用新案は縦靴スタンドの分野に関与する。
【背景技術】
【０００２】
伝統的な靴スタンドの機能は単一であり、重力の原因で傾くように置くことは難しく、更に窓の外側に置くと落ちやすく、また十分な靴スタンドを置ける場所が必要である。
【考案の概要】
【考案が解決しようとする課題】
【０００３】
本実用新案で解決しようとする技術問題とは、シンプルな構造、美しい外観、良い乾燥効果などの利点を持つ縦靴スタンドを提供することである。
【課題を解決するための手段】
【０００４】
本実用新案は以下の技術案を介して実現するものである：縦靴スタンドであり、支持板、支持板の左側と垂直するたてかけ板、支持板の右側と垂直するストッパー、たてかけ板の中部に水平で取り付けられたガードレール、たてかけ板の左側に設置された吸盤を含む。
【０００５】
優れた技術案として、上述した支持板に一つ以上の排水穴を設置されている。
【考案の効果】
【０００６】
本実用新案の有益な効果とは：たてかけ板とストッパーを介して、靴を傾いて、支持板に置くことができる。支持板にある排水穴を通して、水を流せ、靴の乾燥スピードを加速される。吸盤を介して、縦靴スタンドを窓や壁に固定できる。シンプルな構造、美しい外観、良い乾燥効果などの利点を持つ。
【図面の簡単な説明】
【０００７】
【図１】本実用新案の縦靴スタンドの構造概略図である。
【考案を実施するための形態】
【０００８】
説明を容易にするために、本実用新案は次の具体的な実施例、及び添付図面で詳しく説明する。
【０００９】
図1の様に、本実用新案の縦靴スタンドは、靴を置く支持板1、靴を傾いて置けるための支持板1の左側と垂直するたてかけ板2、傾いた靴を止める支持板1の右側と垂直するストッパー3、たてかけ板2の中部に水平で取り付けられたガードレール4、靴スタンドを窓や壁に固定するためのたてかけ板2の左側に設置された吸盤6を含む。
【００１０】
そのうち、上述した支持板1に一つ以上の排水穴5を設置されている。
【００１１】
本実用新案の有益な効果とは：たてかけ板とストッパーを介して、靴を傾いて、支持板に置くことができる。支持板にある排水穴を通して、水を流せ、靴の乾燥スピードを加速される。吸盤を介して、縦靴スタンドを窓や壁に固定できる。シンプルな構造、美しい外観、良い乾燥効果などの利点を持つ。
【００１２】
上記内容は、本実用新案の具体的な実施方式のみであり、本実用新案の保護範囲では、これに限定されるものではない。創造的な仕事をせず、思いついた任意の変更、また交換は、すべて本実用新案の保護範囲に覆われる。従って、本実用新案の保護範囲は、請求の範囲で限定された範囲に準じる。
【符号の説明】
【００１３】
1  支持板
2  たてかけ板
3  ストッパー
4  ガードレール
5  排水穴
6  吸盤
【図１】
0003187160.tif 000003
【手続補正書】
【提出日】平成25年9月4日(2013.9.4)
【手続補正２】
【補正対象書類名】実用新案登録請求の範囲
【補正対象項目名】全文
【補正方法】変更
【補正の内容】
【実用新案登録請求の範囲】
【請求項１】
縦靴スタンドであり、その特徴とは：支持板、支持板の左側と垂直するたてかけ板、支持板の右側と垂直するストッパー、たてかけ板の中部に水平で取り付けられたガードレール、たてかけ板の左側に設置された吸盤を含むことを特徴とする縦靴スタンド。
【請求項２】
請求項1に記載の縦靴スタンドにおいて、その特徴は：上述した支持板に一つ以上の排水穴を設置されていることを特徴とする縦靴スタンド。
(57)【要約】      （修正有）【課題】土のうに充填された各種の材料を圧縮及び締め付け、又は転圧できない点を解決して、形状の変化及び変形を生じないように、強固に上下より圧縮して締め付ける圧縮土のう用締付装置を提供する。【解決手段】略方形状よりなる土のう本体１は、底面部３と表面部２とより座ぶとん状に形成し、土のう本体１の内部には、砂、砕石、石材及び骨材等の充填材４を充填し、底面部３と表面部２には、各々当て板１０，１０を介して内部を挿通するワイヤー、ベルト、ロープ及び金具等の締付具６を縦設し、且つ表面部２には、緩み止め付の該締付具６の上部に吊下げ把手７を螺合した吊下具５を装設した。【選択図】図３
0003187166.tif 000002
【実用新案登録請求の範囲】
【請求項１】
略方形状よりなる土のう本体（１）は、底面部（３）と表面部（２）とより座ぶとん状に形成し、該土のう本体（１）の内部には、砂、砕石、石材及び骨材等の充填材（４）を充填し、該底面部（３）と該表面部（２）には、各々当て板（１０）（１０）を介して内部を挿通するワイヤー、ベルト、ロープ及び金具等の締付具（６）を縦設し、且つ該表面部（２）には、緩み止め付の該締付具（６）の上部に吊下げ把手（７）を螺合した吊下具（５）を装設したことを特徴とした圧縮土のう用締付装置。
【考案の詳細な説明】
【技術分野】
【０００１】  本考案は、軟弱な各地の地盤等に多数の土のうを縦横に敷設して軟弱等の地盤の上に道路及び構造物等の建設現場に使用される土のう用締付装置に関するものである。
【背景技術】
【０００２】  従来この種の土のうの敷設に使用されているものは、現場等において、大きな織布、網状のシートを使用して、砕石や土砂を巻き込んで、マットレス状のような構造物を作成して軟弱地盤に敷設して補強することが一般的である。
また、通常の土のう又はふとん篭には、中に土砂や石材を充填して使用するが、この場合、中に充填された材料は、投入されるだけのため、締め付及び圧縮や転圧されてなく、隅々までの充填は不可能であり、時間の経過と共に、内部の材料が圧縮、圧密されて形状が変形するものである。
更に、施工後の外圧や振動、地震等により、全体的な形状が変形したり、袋自体が破断する等の問題が発生している。
【考案の概要】
【考案が解決しようとする課題】
【０００３】  本考案は、上記従来の問題点を解決するために発明したもので、土のうに充填された各種の材料を圧縮及び締め付け、又は転圧できない点を解決して、形状の変化及び変形を生じないように、強固に上下より圧縮して締め付けることを目的としたものである。
【課題を解決するための手段】
【０００４】  上記目的を達成するために、本考案は、土のう本体の底面より内部を挿通する吊下げ用の締付ボルトにより座ぶとん状に締着し、該土のう本体の内部には、砂、砕石等の各種の充填材を収納する。また、底面部と表面部には、各々補強用の当て板を介して内部を挿通する締付ボルトを縦設する。該締付ボルトの上端には、吊下げを兼用する吊下げ把手を螺合装設したものである。
【考案の効果】
【０００５】  本考案は、以上のように構成されているので、土のう本体を座ぶとん状に形成したので、土のう本体の内部に充填する砕石、石材及び残土等が圧縮され、時間の経過に対しても、締付具によって全体の形状が変形しない優れた効果がある。また吊下げ用の締付具の上下より締付けするので、土のう本体の中心部で強固に全体を締着するので、弾力的に強固に引締め維持できると云う優れた効果がある。
【図面の簡単な説明】
【０００６】
【図１】本考案の土のう本体の全体の斜面図である。
【図２】同じく本考案の中央を開示した縦断側面図である。
【図３】本考案の土のう本体の開部を開示した要部の拡大部分の縦断側面図である。
【考案を実施するための形態】
【０００７】  次に、本考案の用法を説明すると、圧縮土のう用締付装置によれば、土のう本体の中央に挿通した吊下げ用の締付具の上端に連結する吊下げ把手は、運搬用重機の吊掛具に引き掛けて法面保護、海岸ののり止め工法、仮設道路等の軟弱地盤に対して並列状又は積層状に列設して使用し、地震等による液状化した水と砂が、一緒に上に上昇して土のうに当たるか、又は、水分は土のうを通過して流出して行くので、土のうの上部の家屋等などの構造物及び道路等が傾斜することなく、土のうがフィルターの作用をするものである。
【実施例】
【０００８】  実施例を図面について説明すると、図１乃至図３において、図１における土のう本体（１）は、繊維、合成樹脂、金網等により略方形状に形成された斜面図を示し、内部には、土、砂、砕石、アスファルト材等の充填材（４）を注入する。
表面部（２）と底面部（３）との中心部分の表面に補強用の当て布（１１）（１１）と、その表面に補強用の当て板（１０）（１０）を積層し、該当て板（１０）（１０）の中心に締付具（６）を挿通し、該締付具（６）の両端をナット（８）と（９）によって該土のう本体（１）を締着する。
該表面部（２）には、吊下具（５）の締付具（６）の上端に吊下げ把手（７）を螺着する。該吊下げ把手（７）は、運搬用重機の吊掛けにより、土のう本体（１）を所定の位置に、例えば、１０ｃｍから５０ｃｍの厚さのものを一段から数段に並設又は積設して使用するものである。
【符号の説明】
【０００９】１            土のう本体
２            表面部
３            底面部
４            充填材
５            吊下具
６            締付具
７            吊下げ把手
８、９        ナット
１０          当て板
１１          当て布
【図１】
0003187166.tif 000003
【図２】
0003187166.tif 000004
【図３】
0003187166.tif 000005
(57)【要約】      （修正有）【課題】体を支えやすくなり、腰の疲労を軽減できる椅子を提供する。【解決手段】椅子の座面の形状を、後ろ側から前側へと、左右両側から中央への全方向に、下り勾配をつける。腰が沈んだ状態の姿勢や、猫背の状態の姿勢に成りにくくなるので、腰の疲労を軽減できる。【選択図】図３
0003187146.tif 000002
【実用新案登録請求の範囲】
【請求項１】
椅子の座面の形状を、後ろ側から前側へと、左右両側から中央への、全方向に下り勾配をつけた形状を特徴とする椅子。図１、図２、図３
【考案の詳細な説明】
【技術分野】
【０００１】
本考案は、腰の疲労を軽減できる椅子に関するものである。  
【背景技術】
【０００２】
従来の椅子の座面の形状には、左右両側から中央に向けて、下り傾斜をつけた物がある。
（例えば特許文献１）。  
【先行技術文献】
【特許文献】
【０００３】
【特許文献１】特開２００６−４３３４２号広報
【考案の概要】
【考案が解決しようとする課題】
【０００４】
腰の疲労を軽減できる椅子。例えば、腰が沈んだ状態の姿勢や、猫背の状態の姿勢で、長時間椅子に座っていると、腰に疲労が蓄積して、腰痛を引き起こす要因となる。
【課題を解決するための手段】
【０００５】
椅子の座面の形状を、後ろ側から前側へと、左右両側から中央への、全方向に下り勾配をつけることにより、腰が沈んだ状態の姿勢や、猫背の状態の姿勢に成りにくくなるので、腰の疲労を軽減できる。  
【考案の効果】
【０００６】
椅子の座面の形状を、後ろ側から前側へと、左右両側から中央への全方向に下り勾配をつけることにより、自然と、体を支え易くなり腰の疲労を軽減できる。
【図面の簡単な説明】
【０００７】
【図１】立体図
【図２】図１を滑らかな曲線で結んだ図面である。
【図３】図１を、加工上、左右中央から分割した図面である。
【図１】
0003187146.tif 000003
【図２】
0003187146.tif 000004
【図３】
0003187146.tif 000005
【手続補正書】
【提出日】平成25年9月17日(2013.9.17)
【手続補正１】
【補正対象書類名】実用新案登録請求の範囲
【補正対象項目名】全文
【補正方法】変更
【補正の内容】
【実用新案登録請求の範囲】
【請求項１】
椅子の座面の形状を、後ろ側から前側へと、左右両側から中央への、全方向に下り勾配を、つけた形状を特徴とする椅子。
(57)【要約】      （修正有）【課題】雨水による腐蝕を防止して耐久性を高めることができる道路遮音壁の吸音板を提供する。【解決手段】略コ字状の背面板１１に前面板１２を係止した断面略平行４辺形状ボックス型吸音板１０において、背面板１１の底板１１ａに排水用透孔１１ｅを設けた。前面板１２の下端縁部と底板１１ａとのハゼ嵌合部にスリット１２ｃを設けておくのが好ましい。【選択図】図１
0003187101.tif 000002
【実用新案登録請求の範囲】
【請求項１】
両端に天板と底板を設けた断面略コ字状背面板と、前記天板と底板の端部に係止された前面板から成る断面平行４辺形状ボックス型吸音板において、前記底板に排水用透孔を設けた吸音板。
【請求項２】
前記背面板の底板の先端に設けられたリブを前記前面板の下端縁部によって抱き込み係止し、前記下端縁部の抱き込み折り曲げ線に沿って排水用スリットを設けた請求項１に記載の吸音板。
【請求項３】
前記スリットによって、抱き込み折り曲げ部の端面が開口し空気流通を可能とした請求項２に記載の吸音板。
【考案の詳細な説明】
【技術分野】
【０００１】
この考案は、高速道路などの騒音対策として設置される遮音壁を形成する吸音板に関する。
【背景技術】
【０００２】
高速道路などに設置される遮音壁は、定間隔をあけて立設されたＨ形支柱の間に、ボックス型吸音板を複数段積み上げて形成される。この吸音板は、例えば図５〜図７に示すような構造になっている。図示のように、略コ字板に折り曲げた背面板１に、ルーバ等の多数の空隙を設けた前面板２が係止され、内部に吸音材３が装填されている。
【０００３】
前記背面板１と前面板２の係止構造は、以下の通りである。図７に示すように、背面板１の底板１ａには、リブ１ｃが設けられており、前面板２の下端縁部２ａがこのリブ１ｃを抱き込むように折り曲げられて、所謂ハゼ嵌合構造になっている。また、前面板２の上端縁部は、背面板１の天板１ｂに重なるように折り曲げられ、リベット４で止着されている（図６参照）。
【０００４】
上記のようなハゼ嵌合部には、雨水Ｗ1が溜り易く、腐蝕の原因となる。さらに、背面板１の底板１ａは、図７のように、鋭角に折り曲げられているため、ここにも雨水Ｗ2が溜り易く、同様に腐蝕の原因となる。特に、背面板１が亜鉛メッキ鋼板によって製作されている場合、例えば夏期の日射で滞留水が高温になると亜鉛が溶融し、前面板２のアルミニウムと電蝕が発生し腐蝕が進行して破断に至る事故が発生している。それにまして、冬季に凍結防止用に塩水が散布される地域では、塩水の滞留によって電蝕を加速している。
【先行技術文献】
【特許文献】
【０００５】
【特許文献１】特開２００３−１９３４３１号公報
【考案の概要】
【考案が解決しようとする課題】
【０００６】
そこで、この考案の課題は、吸音板の雨水による腐蝕を防止して耐久性を高めることである。
【課題を解決するための手段】
【０００７】
上記の課題を解決するために、この考案は、両端に天板と底板を設けた断面略コ字状背面板と、前記天板と底板の端部に係止された前面板から成る断面平行４辺形状ボックス型
吸音板において、前記底板に排水用透孔を設けたことを特徴とする。
【０００８】
また、前記背面板の底板の先端に設けられたリブを前記前面板の下端縁部によって抱き込み嵌合し、前記下端縁部の抱き込み折り曲げ線に沿って排水用スリットを設けるのが好ましい。このスリットによって、抱き込み嵌合部の端面に開口が形成されるので、嵌合部内を空気が流通することができる。
【考案の効果】
【０００９】
この考案によれば、上述のように、雨水が滞留し易い底板及び抱き込み嵌合部に排水用透孔及びスリットを設けたので、電蝕等による腐蝕の発生を防止し、吸音板の耐久性を高めることができる。
【図面の簡単な説明】
【００１０】
【図１】この考案の吸音板を示す斜視図、
【図２】同上の拡大断面図、
【図３】同上の部分拡大断面図、
【図４】図１の部分拡大斜視図、
【図５】従来の吸音板を示す斜視図、
【図６】同上の断面図、
【図７】同上の部分拡大断面図である。
【考案を実施するための形態】
【００１１】
以下、この考案の実施形態を図１〜図４に基づいて説明する。図１及び図２に示すように、吸音板１０は、略コ字状に折り曲げた背面板１１に、ルーバ等によって多数の空隙を設けた前面板１２を係止して断面が平行４辺形のボックスを形成し、内部に吸音材１３が装填されている。前記背面板１１には、底板１１ａと天板１１ｂが前面板１２の方向に上昇するよう平行に設けられ、底板１１ａと天板１１ｂの先端はそれぞれ全長にわたって下方に折り曲げられて狭巾のリブ１１ｃ、１１ｄが形成されている。一方前記前面板１２の下端縁部は、前記底板１１ａのリブ１１ｃを抱き込むように折り曲げられて曲折部１２ａを形成し、所謂ハゼ嵌合によって背面板１１に係止されている。前面板１２の上端縁部は、前記天板１１ｂ及びリブ１１ｄに当接するように折り曲げられて係合部１２ｂを形成し、天板１１ｂにリベット１４等で止着されている。
【００１２】
図１及び図３に明らかなように、前記底板１１ａには、排水用透孔１１ｅが設けられている。この透孔１１ｅは、背面板１１の底板１１ａの隅角部（折り曲げ部）近辺に設けるのが好ましく、その形状は円形やスリット状など任意に選択でき、個数も任意である。さらに、図１及び図４に示すように、前記ハゼ嵌合部、即ち底板１１ａのリブ１１ｃと前面板１２の下端縁の曲折部１２ａとの係止部において、曲折部１２ａの底部に沿って排水用スリット１２ｃを設けておくのが好ましい。スリット１２ｃの長さ及び間隔（個数）は適宜選択可能である。このような透孔１１ｅ及びスリット１２ｃによって、先に図７で述べた雨水Ｗ2及びＷ1を排出することができる。また、スリット１２ｃによって、曲折部１２ａの端面に開口１２ｅが形成されるので、開口１２ｅから空気が流通し、ハゼ嵌合部を乾燥状態に保つことができる。
【００１３】
なお、図１、図３、図４に示すように、前面板１２の下端部に沿って横長のエンボス１２ｄを設けることにより、ハゼ嵌合部の加工による前面板１２のたわみを防止することができる。また、吸音板１０の耐久性をさらに高めるために、高耐候性メッキ鋼板を用いることができる。
【符号の説明】
【００１４】
１  背面板
１ａ  底板
１ｂ  天板
１ｃ  リブ
２  前面板
２ａ  下端縁部
３  吸音材
４  リベット
１０  吸音板
１１  背面板
１１ａ  底板
１１ｂ  天板
１１ｃ、１１ｄ  リブ
１１ｅ  透孔
１２  前面板
１２ａ  曲折部
１２ｂ  係合部
１２ｃ  スリット
１２ｄ  エンボス
１２ｅ  端面の開口
１３  吸音材
１４  リベット
Ｗ1、Ｗ2  雨水
【図１】
0003187101.tif 000003
【図２】
0003187101.tif 000004
【図３】
0003187101.tif 000005
【図４】
0003187101.tif 000006
【図５】
0003187101.tif 000007
【図６】
0003187101.tif 000008
【図７】
0003187101.tif 000009
(57)【要約】      （修正有）【課題】氷を入れないで飲む飲料が軽い器で、今までになく冷たく飲めるための保冷コップを提供する。【解決手段】コップ１で上げ底のあるコップの底裏に冷却剤４の入った密封袋２を接着・固定させたことを特徴とする。【選択図】図２
0003187136.tif 000002
【実用新案登録請求の範囲】
【請求項１】
紙・ビニールなどでできたうすいコップで上げ底のあるものの底裏に冷却剤の入った密封袋を接着・固定させた保冷コップ。
【考案の詳細な説明】
【技術分野】
【０００１】  本考案は、氷を入れないで飲む飲料が軽い器で今までになく冷たく飲めるためのコップに関するものである。
【背景技術】
【０００２】  ビールなど氷を入れない飲料は時間がたつと冷たさがおとろえてしまい、味もおちる。
【考案の概要】
【考案が解決しようとする課題】
【０００３】  ビールなど氷を入れない飲料は普通のコップだと暑い時だととくに冷たさがおとろえやすい。今までになく保冷して最後の方まで冷たく飲みたい。
【課題を解決するための手段】
【０００４】  コップの底裏に保冷するものを合体させれば、いままでになく冷たく飲める。
【考案の効果】
【０００５】  氷を入れない飲料が大幅に保冷でき  とくに最後になって飲む部分は今までになく冷たく飲める。
【図面の簡単な説明】
【０００６】
【図１】本考案の斜め上から見た図
【図２】本考案使用の透視図
【図３】本考案のストローを入れた使用の透視図
【考案を実施するための形態】
【０００７】紙・ビニールなどのうすいコップで上げ底のあるものの底裏に冷却剤（液体・保冷剤など）または冷却剤とスポンジの入った携帯ソースのような密封袋を接着・固定させる。冷凍庫で凍らせてから飲料を入れる。
【実施例】
【０００８】  以下、本考案の実施例を説明する。
２４０ＣＣ位の飲料を本考案のコップとふつうのコップに入れて飲む。
１０分後、３分の１ずつ飲んで比べてみると、少しだけ冷たさが違う。
さらに１０分後、また３分の１ずつ飲むと、一発で冷たさの違いがわかる。
さらに１０分後、最後の３分の１ずつを飲むと、普通のコップだと冷たさがかなり減っているが、本考案のコップのものは冷たさが保たれている。
ストローで飲むにしても、下の部分が冷やされるので冷たい部分がストローから口の中へはいってくる。
【符号の説明】
【０００９】Ｉ  コップ
２  袋
３  飲料
４  冷却剤
５  冷却部分
６  ストロー
【図１】
0003187136.tif 000003
【図２】
0003187136.tif 000004
【図３】
0003187136.tif 000005
【手続補正書】
【提出日】平成25年8月30日(2013.8.30)
【手続補正１】
【補正対象書類名】実用新案登録請求の範囲
【補正対象項目名】全文
【補正方法】変更
【補正の内容】
【実用新案登録請求の範囲】
【請求項１】
コップで上げ底のあるものの底裏に冷却剤の入った密封袋を接着・固定させた保冷コップ。
(57)【要約】      （修正有）【課題】糸楊子の動きをアップさせ磨き機能を充実させるとともに、糸楊子の交換が容易な電動ハブラシ用取り付けジョイント器具を提供する。【解決手段】糸ようじ固定用アダプターによって、電動歯ブラシのブラシ部分中心に糸ようじを挟んで固定ベルトによって固定する。または糸ようじ固定ジョイントに糸ようじを挟む凹を作り固定バネによって糸ようじを固定する。【選択図】図２
0003187131.tif 000002
【実用新案登録請求の範囲】
【請求項１】
電動歯ブラシと糸楊子を容易くジョイントする器具
【考案の詳細な説明】
【技術分野】
【０００１】糸楊子は人の手の早さでは食べ残しを取り除く程度だが電動歯ブラシの機能を生かした数万の振動で歯の隙間を磨く
【背景技術】
【０００２】通常の歯磨きでは隙間にブラシが入らず、多くの虫歯箇所である隙間の磨き残しの解消のため
【考案の開示】
【考案が解決しようとする課題】
【０００３】市販の電動歯ブラシに市販の糸楊子を取り付ける
【課題を解決するための手段】
【０００４】歯ブラシのブラシ部分に糸楊子を中心に挟み、ジョイント器具でブラシの外側から挟み、糸楊子を固定する方法と歯ブラシのプラシが無いえの部分にジョイントによる糸楊子装着方法もある
【考案の効果】
【０００５】消耗品である切れやすい糸楊子をたらすく交換できる
【図面の簡単な説明】
【０００６】
【図１】ブラシの部分へ装着する機具
【図３】ブラシ無しのえの部分に装着するジョイント
【符号の説明】
【０００７】イ・・・・モーター部分              ロ・・・・糸楊子
ハ・・・・交換ブラシ                ニ・・・・糸楊子固定用アダプター
ホ・・・・糸楊子固定用ジョイント（交換ブラシとの交換）
ヘ・・・・固定用バネ
ト・・・・糸楊子固定用アダプター（ニ）の固定ベルト
【図１】
0003187131.tif 000003
【図２】
0003187131.tif 000004
【図３】
0003187131.tif 000005
【図４】
0003187131.tif 000006
【手続補正書】
【提出日】平成25年8月23日(2013.8.23)
【手続補正１】
【補正対象書類名】実用新案登録請求の範囲
【補正対象項目名】全文
【補正方法】変更
【補正の内容】
【実用新案登録請求の範囲】
【請求項１】
電動歯ブラシに糸ようじを取り付けるためのジョイント器具において、
糸ようじ固定用アダプターによって、前記電動歯ブラシのブラシ部分中心に糸ようじを挟んで固定ベルトによって固定するか、または糸ようじ固定ジョイントに糸ようじを挟む凹を作り固定バネによって糸ようじを固定することを特徴とするジョイント器具。
【手続補正３】
【補正対象書類名】明細書
【補正対象項目名】０００６
【補正方法】変更
【補正の内容】
【０００６】
【図１】ブラシの部分へ装着しようとする図
【図２】ブラシ付糸楊子装着器具の拡大図
【図３】ブラシ無しのえの部分の中央に装着している図
【図４】ブラシ無しのえの部分の中央に装着した固定バネの拡大図
(57)【要約】      （修正有）【課題】かごを持って歩く際に、かごを安定させ、歩きやすく、また持ちやすくする弓形買い物かごを提供する。【解決手段】スーパーマーケット等で使用される買い物かごの形を上から見て、かごの底面および買った品物を入れる上部の開口部を弓形にする。取っ手の位置を、かごの短辺につける。このことにより、体（脚）にあたるかごの淵が直線から弧になり、体への当たりが柔らかくなり、かごが弾まなくなり安定して持つことが可能になり、またかごを持つ手をひねり、手の甲を前または後に捻る必要がなくなり、手の甲が体の外側を向き、不自然に捻る必要がなくなり、かごが持ちやすく歩きやすくなる。【選択図】図２
0003187140.tif 000002
【実用新案登録請求の範囲】
【請求項１】
スーパーマーケット等で使用される買い物かごの形（上から見た形）を弓形にするとともに、「取っ手」の位置を、かごの短辺につけることにより持って歩く際に安定して持て、また歩きやすくする。
【考案の詳細な説明】
【技術分野】
【０００１】  本考案は、スーパーマーケット等において、買い物をするためのかごに関するものである。
【背景技術】
【０００２】  現在、用いられている買い物かごは、持って歩くときに脚の外側（右手で持っているときは右脚の外側、左手の場合は左脚の外側）に当たるため、かごが安定せず歩きづらく、持ちづらく、不便である。
【考案の概要】
【考案が解決しようとする課題】
【０００３】  かごを持って歩く際に、かごを安定させ、歩きやすく、また持ちやすくする。
【課題を解決するための手段】
【０００４】  現在スーパーマーケット等で使われている一般的なかごの形（上から見た形）は長方形であるが、これを弓形にする。
このことにより、体（脚）にあたるかごの淵が直線から弧になり、体へのあたりが柔らかくなり、かごが弾まなくなり安定する。【０００５】  現在スーパーマーケット等で使われている一般的なかごでは、「取っ手」は長い方の辺に取り付けられているが、短い方の辺に取り付ける。
このことにより、一般的なかごでは、かごを持つ手をひねり、手の甲を前または後に向けなければならないのに対し、考案したかごでは、手の甲が体の外側を向き、不自然に捻る必要がなくなり、かごが持ちやすくなる。
【考案の効果】
【０００６】  上記、［０００４］および［０００５］の両方の効果により、かごが安定し、持ちやすく、また、歩きやすくなる。
【図面の簡単な説明】
【０００７】
【図１】本考案の平面図である。（かごを真上から見た図）
【図２】本考案を斜め上から見た立体的な図面である。
【図１】
0003187140.tif 000003
【図２】
0003187140.tif 000004
【手続補正書】
【提出日】平成25年8月22日(2013.8.22)
【手続補正１】
【補正対象書類名】実用新案登録請求の範囲
【補正対象項目名】全文
【補正方法】変更
【補正の内容】
【実用新案登録請求の範囲】
【請求項１】
上から見て、かごの底面および買った品物を入れる上部の開口部を弓形にするとともに、取っ手の位置を、かごの短辺につけることにより、安定して持つことが可能になり、また歩きやすくなることを特徴とするスーパーマーケット等で使用される買い物かご
(57)【要約】      （修正有）【課題】延線クランプ着脱機の軽量化と油圧ジャッキのハンドルを操作することにより鉄塔上での延線クランプの楔打込操作が簡便に行われる楔打込治具を提供する。【解決手段】軽量型延線クランプの楔打込治具１で、４本の鋼棒７とクランプ取付リング４Ｒと電線取付リング４Ｗより格子組した枠体３の底板に油圧ポンプとハンドルを具備した油圧ジャッキ５を装着した楔打込治具。【選択図】図１
0003187134.tif 000002
【実用新案登録請求の範囲】
【請求項１】
より線（電線８１０ｍｍ２以下）相互を仮接続するときに使用する既成の延線クランプ着脱機において、ハンドル、ポンプ、ホ−ス付の油圧ポンプと油圧シリンダ付の押込機とを油圧ホ−スによって連結し、これを一体的に操作して延線クランプに楔を打込む治具の重量が重く、鉄塔上での楔着脱作業が円滑に行われないので、治具の軽量、小型化を図るため、油圧シリンダに油圧ポンプとハンドルとを一体化（具備）した油圧ジャッキを構成、使用することによって治具の簡便化とともに楔打込み作業を効率化することを特徴とする軽量型の延線クランプの楔打込治具。
【考案の詳細な説明】
【技術分野】
【０００１】本考案は、送電線の電線（８１０ｍｍ２以下のより線）相互を延線クランプにより仮接続して延線するためのクランプに挿入した電線の芯線に楔を打込む治具に関するものである。
【背景技術】
【０００２】架空送電線の建設、撤去等の工事において電線相互あるいは電線とワイヤとを仮接続して電線を延緊線するための接続金具として延線クランプを使っており、切断した電線の端末部を延線クランプ内に挿入後、その電線の芯線に楔を打込んで電線を的確に挟持するための楔押込み治具として油圧式の延線クランプ着脱機が実用に供されている。
【技術文献】
登録実用新案公報：第３１４７９０４号（延線クランプ打込治具）
【０００３】
【考案の概要】
【考案が解決しようとする課題】
【０００４】既成の延線クランプの着脱機は、ハンドルと油圧シリンダよりなる油圧ポンプと別途、４本の鋼棒を正四角錐状に形成した枠体に底板（油圧シリンダ取付用）とクランプ取付用のリングと電線取付用のリングを装着した楔押込機とをホ−スで連結し、一括操作するよう構成されているが、その一括重量が重いため、これを起動操作する作業が容易ではなく、作業員が２人以上必要であった。
【考案を解決するための手段】
【０００５】上記の課題を解決するため、本考案の延線クランプの楔打込治具においては、重い油圧シリンダとハンドル・ホ−ス付の油圧ポンプを使うことなく、ハンドルによって直接油圧ジャッキを操作することとし、これによって治具の軽量化（重量：１０Ｋｇ以下）とともに楔打込作業の安全と効率化を図ることとした。
【０００６】そのため、本考案の延線クランプの楔打込治具においては、油圧シリンダに油圧ポンプと操作ハンドルを一体化した油圧ジャッキを枠体内に装着し、そのハンドルを操作することによって安易かつ簡便に楔打込作業を行えるよう改善した。
【図面の簡単な説明】
【０００７】
【図１】本考案の軽量型延線クランプの楔打込治具（正面、側面図）。
【図２】既成の延線クランプ着脱機（正面、側面図）。
【図３】延線クランプ本体（正面、断面図）。
【考案を実施するための形態】
【０００８】上述の如く既成の延線クランプ着脱機の軽量化と油圧ジャッキのハンドルを操作することにより鉄塔上での延線クランプの楔打込操作が簡便に行われることで効率化された。
【０００９】以下、添付図面に従って実施例を説明する。図１は、本考案の軽量型延線クランプの楔打込治具１で、４本の鋼棒７とクランプ取付リング４Ｒと電線取付リング４Ｗより格子組した枠体３の底板に油圧ポンプ５Ｐとハンドルを具備した油圧ジャッキ５を装着した楔打込治具で、図２は、既成の延線クランプ着脱機２の構成と形状で、油圧シリンダ５Ｃとハンドル６とホ−ス５Ｈよりなる油圧ポンプ５Ｐとセットで使用する楔押込み装具（枠体３に油圧ジャッキ５を装着し、油圧操作によって楔を打込む用具）を示す。図３は、より線Ｗ相互を仮接続する場合に使用する延線クランプ４の形状と断面を示す図である。
【符号の説明】
【０００９】１    軽量型延線クランプの楔打込治具（油圧ジャッキ付）    １２    既成の延線クランプ着脱機（油圧ポンプ、押込み装具）  ２２Ｐ          〃        押込機（油圧シリンダ付）          ２３    枠体（正四角錐形）                                  ３４    延線クランプ（電線８１０ｍｍ２以下）                ４４Ｒ        〃    取付リング                              ４４Ｗ  電線取付リング                                      ４５    油圧ジャッキ（ポンプ、ハンドル付）                  ５５Ｐ  〃  ポンプ                                          ５５Ｈ  〃  ホ−ス                                          ５５Ｃ  〃  シリンダ                                        ５６    ハンドル（把手）                                    ６７    鋼棒（稜部構成）                                    ７８    楔                                                  ８Ｗ    より線（電線８１０ｍｍ２以下）                      Ｗ
【図１】
0003187134.tif 000003
【図２】
0003187134.tif 000004
【図３】
0003187134.tif 000005
【手続補正書】
【提出日】平成25年8月19日(2013.8.19)
【手続補正１】
【補正対象書類名】実用新案登録請求の範囲
【補正対象項目名】全文
【補正方法】変更
【補正の内容】
【実用新案登録請求の範囲】
【請求項１】
電線の総断面籍が８１０ｍｍ２以下のより線相互を仮接続するときに使用する既成の延線クランプ着脱機において、ハンドルと油圧シリンダ−よりなる油圧ポンプと別途、４本の鋼棒を正四角錘形状に形成された枠体に油圧シリンダ−取付用の底板と延線クランプ取付用のリングと電線取付用のリングとを装着した楔押込機とを油圧ホ−スによって連結し、油圧ポンプのハンドルを操作することにより楔押込機が作動するよう一括操作治具を構成しているが、一括操作治具の重量が重く、これが鉄塔上での延線クランプ着脱作業が円滑に行えないので、治具の軽量、小型化を図るため、油圧シリンダ−に油圧ポンプとハンドルを一体化（具備）した油圧ジャッキを構成し、これを使用することによって一括操作治具の簡便化とともに楔打込作業を一層効率化することを特徴とする軽量型の延線クランプの楔打込治具。
(57)【要約】      （修正有）【課題】災害時の緊急時に識別の表示を必要とする人々が、実用的なエコバッグとして普段から使用し持ち歩き、緊急時には、着用するベストになるエコバッグを提供する。【解決手段】コンビニエンスストアやスーパーマーケット等で使っているビニール製の袋と同じような底辺がコの字形状の、開口部を３つ備えたエコバッグの右側面から底面にそして左側面に繋がるように一本のファスナーを装着し、前面素材と裏面素材をファスナーで接合する。ファスナーを閉じた状態ではエコバッグとして使用でき、ファスナーを開けることで、表の素材と裏の素材が上部のみで連結された状態になり、ベストとして着用できる。痩せた人から太った人まで１サイズで着用が可能。【選択図】図１
0003187138.tif 000002
【実用新案登録請求の範囲】
【請求項１】
側面と底面にファスナーを設けた、レジ袋形状のエコバッグ。
【考案の詳細な説明】
【技術分野】
【０００１】  本考案は、災害等の緊急時に識別の表示を必要とする人々が、実用的なエコバッグとして普段から使用し持ち歩き、緊急時に着用するベストに関する。
【背景技術】
【０００２】  従来、識別のためのベストや、買い物をする時に使用するエコバッグはあった。また、特開２０１０−１３７８１号のような発明はあった。
【先行技術文献】
【特許文献】
【０００３】
【特許文献１】特開２０１０−１３７８１号  公報
【考案の概要】
【０００４】
【考案が解決しようとする課題】
【０００５】  これには次のような欠点があった。
（イ）ベストは毎日使用するものではないことから、邪魔であるため普段から持ち歩く事はなかった。
（ロ）エコバッグは実用的であり普段から持ち歩く人も増えてきたが、ベストとして着用はできなかった。
（ハ）公開特許２０１０−１３７８１は側面が接合されているため痩せている人から太った方まで１サイズで使用するには無理な構造であった。
【課題を解決するための手段】
【０００６】  コンビニエンスストアやスパーマーケット等で使っているビニール製の袋と同じような形状の、開口部（１）を３つ備えたエコバッグの右側面から底面そして左側面に繋がるように一本のファスナー（２）を装着し、前面素材と裏面素材をファスナー（２）で接合する。
本考案は、以上のような構成よりなるベストになるエコバッグである。
【考案の効果】
【０００７】  本考案のベストになるエコバッグは、普段買い物等に行く際はエコバッグとして使用でき、災害時等の緊急事態には両側面と底面に設けたファスナーを開ける事で、識別のためのベストになり着用できる。本考案のベストになるエコバッグ本体には「耳が不自由です」「手話できます」「医者」「看護師」「消防団」等様々なの印刷を施す事で災害時などで必要な表示をする事ができ、避難者から識別しやすくなる。また、両側面が接合されていないため痩せた人でも太った人でも着用できる。
【図面の簡単な説明】
【０００８】
【図１】  本考案の正面図である。
【図２】  本考案の展開図である。
【図３】  本考案の実施例を表す斜視図である。
【考案を実施するための形態】
【０００９】（イ）長方形状の生地の一辺がＵ字型に切り取られた開口部（１）を設けた生地を２枚用意する。
（ロ）２枚の生地をＵ字型に切り取った一辺を上部にし重ねる。
（ハ）重ねた２枚の生地の右側面から底面そして左側面に繋がるように一本のファスナー（２）にて接合する。
（ニ）右側面と左側面の全てにはファスナーを設けず、右側面と左側面の上部にはエコバッグとして使うときに手を通せるよう適宜な長さの開口部（１）を設ける。
【実施例】
【００１０】  以下、本考案の実施例について説明する。
本考案は、両側面と底面のファスナー（２）を閉じた状態ではエコバッグとして使用でき、右側面から底面そして左側面へ装着されている１本のファスナー（２）を開けることで、図２の展開図のように表の素材と裏の素材が上部のみで連結された状態になり、図３の斜視図のようなベストになるので身に付けることができるようになる。また、両側面が接合されて無いので痩せた人から太った人まで１サイズで着用が可能となる。
【産業上の利用可能性】
【００１１】  今考案のベストになるエコバッグは、災害時に識別の必要性がある人が普段はエコバッグとして使用し、使用しない時は折りたたんで鞄等に入れておける。そして災害時には本体外周部のファスナーを外す事でベストにする事ができ着用ができる。ベストには必要に応じた印刷を施す事ができるので、伝えたい事を表示できて災害時に役立てる事ができる。また、各側面に一遍を側面に接合した紐を設けることで装着した際に身体にフィットさせる事もできる。
【符号の説明】
【００１２】  １  開口部
２  ファスナー
【図１】
0003187138.tif 000003
【図２】
0003187138.tif 000004
【図３】
0003187138.tif 000005
【手続補正書】
【提出日】平成25年8月27日(2013.8.27)
【手続補正１】
【補正対象書類名】実用新案登録請求の範囲
【補正対象項目名】全文
【補正方法】変更
【補正の内容】
【実用新案登録請求の範囲】
【請求項１】
側面から底面そして反対側の側面に、表生地と裏生地を連結させるように一本のファスナーを設けた、上面と両側面上部に開口部を設けた底辺がコの字型をしたレジ袋形状のエコバッグ。